(57)【要約】【課題】回転刺激による血液やリンパ液の圧送効果を向上して、効果的に美容効果を得ることができる美容機器を提供する。【解決手段】平行な軸回りに回転駆動される複数個の回転体１４を備える。各回転体１４は、駆動機構１３で同一方向へ回転駆動されている。各回転体１４には、肌面に回転刺激を付与する少なくとも１個の押圧体１５が設けられている。隣接する回転体１４のうち、回転方向下手側に位置する回転体１４の回転速度が、回転方向上手側に位置する回転体１４の回転速度より速く設定されている。【選択図】図１２
2015084777.tif 000002
【特許請求の範囲】
【請求項１】
平行な軸回りに回転駆動される複数個の回転体（１４）を備え、
各回転体（１４）は、駆動機構（１３）で同一方向へ回転駆動されており、
各回転体（１４）には、肌面に回転刺激を付与する少なくとも１個の押圧体（１５）が設けられており、
隣接する回転体（１４）のうち、回転方向下手側に位置する回転体（１４）の回転速度が、回転方向上手側に位置する回転体（１４）の回転速度より速く設定されていることを特徴とする美容機器。
【請求項２】
各押圧体（１５）の回転軌跡（Ｔ）の直径が同一に設定されていることを特徴とする請求項１に記載の美容機器。
【発明の詳細な説明】
【技術分野】
【０００１】
本発明は、肌面に回転刺激を付与できる美容機器に関する。美容機器は例えば手持ち型のマッサージ器として使用することができる。
【背景技術】
【０００２】
本発明にかかる美容機器は、押圧体が配置された複数個の回転体を、平行な軸回りに回転駆動して肌面に回転刺激を付与するが、このような美容機器は、例えば特許文献１に開示されている。かかる特許文献１のローリングあんま器は、ケース内に複数の車軸を備えており、周面に凸部と凹部とが波状に設けられたローラー（押圧体）を先の車軸に装着している。車軸は、プーリーと螺旋ベルトで構成された巻掛け伝動機構でモーターに接続されており、モーターを回転させることにより、各ローラーを同一方向に回転駆動できる。ローラーの一部はケースの底面から突出しており、回転するローラーを肌面に軽く触れるように当接させることにより、ローラー周面の凸部で肌面に回転刺激を付与できる。
【先行技術文献】
【特許文献】
【０００３】
【特許文献１】特開昭５３−４１８９０号公報（第２頁、第３頁左上欄、図４）
【発明の概要】
【発明が解決しようとする課題】
【０００４】
特許文献１のローリングあんま器では、ローラーの凸部でローラーの回転方向に沿って肌面に回転刺激を付与することができ、刺激部位の血液やリンパ液を強制的に回転方向下手側に圧送してうっ血状態を解消できる。これにより、刺激部位の血流を改善して肌を活性化でき美容効果を得ることができる。しかし、各ローラーの回転速度および回転方向が同じであるので、回転方向上手側に位置するローラーによる圧送効果が、回転方向下手側に位置するローラーによって低下する虞れがある。
【０００５】
本発明の目的は、回転刺激による血液やリンパ液の圧送効果を向上して、効果的に美容効果を得ることができる美容機器を提供することにある。
【課題を解決するための手段】
【０００６】
本発明に係る美容機器は、平行な軸回りに回転駆動される複数個の隣接する回転体１４を備える。各回転体１４は、駆動機構１３で同一方向へ回転駆動されている。各回転体１４には、肌面に回転刺激を付与する少なくとも１個の押圧体１５が設けられている。隣接する回転体１４のうち、回転方向下手側に位置する回転体１４の回転速度が、回転方向上手側に位置する回転体１４の回転速度より速く設定されていることを特徴とする。
【０００７】
各押圧体１５の回転軌跡Ｔの直径を同一に設定する。
【発明の効果】
【０００８】
隣接する回転体１４のうち、回転方向下手側に位置する回転体１４の回転速度が、回転方向上手側に位置する回転体１４の回転速度より速く設定されていると、下手側の押圧体１５は、上手側から圧送されてきた血液やリンパ液を滞ることなくすばやく回転方向下手側へ圧送できる。従って、回転刺激による血液やリンパ液の圧送効果を向上できる。
【０００９】
各押圧体１５の回転軌跡Ｔの直径が同一に設定されていると、押圧体１５の肌面への接触状態を各押圧体１５で同一にすることができ、肌面に回転刺激を付与する際の肌当たりを均一にできる。
【図面の簡単な説明】
【００１０】
【図１】第１実施例に係る美容機器の概略横断平面図である。
【図２】第１実施例に係る美容機器の概略正面図である。
【図３】第１実施例に係る美容機器の概略縦断正面図である。
【図４】図３におけるＡ−Ａ線断面図である。
【図５】美容機器の動きを説明するための概略平面図である。
【図６】第３実施例に係る美容機器の概略縦断側面図である。
【図７】第４実施例に係る美容機器の概略正面図である。
【図８】第４実施例に係る美容機器の概略横断平面図である。
【図９】第４実施例に係る美容機器の概略縦断正面図である。
【図１０】第４実施例に係る美容機器の概略縦断側面図である。
【図１１】第５実施例に係る美容機器の概略正面図である。
【図１２】第５実施例に係る美容機器の概略縦断正面図である。
【図１３】第５実施例に係る美容機器の概略横断平面図である。
【図１４】第６実施例に係る押圧体を示す断面図である。
【図１５】第７実施例に係る美容機器の概略縦断正面図である。
【図１６】図１５におけるＢ−Ｂ線断面図である。
【図１７】第７実施例に係る美容機器の屈曲状態を示す概略横断平面図である。
【図１８】第８実施例に係る美容機器の使用状態を示す平面図である。
【発明を実施するための形態】
【００１１】
（第１実施例）  図１から図５に、手持ち型のマッサージ器（美容機器）（以下、単にマッサージ器と言う。）に適用した第１実施例を示す。なお、前後、左右、上下とは、図１、図２および図４に示す交差矢印と、各矢印の近傍に表記した前後、左右、上下の表示に従う。図２においてマッサージ器は、上下縦長の本体ケース１を備え、本体ケース１の上半部がマッサージヘッド２として構成されており、マッサージヘッド２の内部には、マッサージユニット３が配置されている。本体ケース１の下半部はグリップ４を兼ねており、その内部には、マッサージユニット３を駆動するモーター５と、モーター５に駆動電流を供給する電池６と、モーター５の動作を制御する制御基板７などが配置されている。モーター５は、グリップ４の前面に設けられた作動スイッチ８をオン操作することにより起動して、マッサージユニット３を駆動する。図２において、符号９はモーター５の回転方向を切り換える正逆転スイッチである。
【００１２】
図３、図４に示すように、マッサージユニット３は、支持ベース１２と、支持ベース１２上に配置される駆動機構１３と、駆動機構１３で回転駆動される円盤状の３個の回転台（回転体）１４と、各回転台１４に設けられる押圧棒（押圧体）１５などで構成されている。押圧棒１５は、上端部が半球状に形成されたローラー軸１６と、ローラー軸１６で回転自在に軸支される筒状のローラー１７とで構成される棒状体からなり、ローラー軸１６の下端が回転台１４の回転平面に固定されている。ローラー１７の横断面形状は、円形状に形成されている。押圧棒１５が、ローラー軸１６とローラー１７とで構成されていると、押圧刺激を付与する際に、押圧棒１５と後述するカバー２９との間の摩擦を軽減することができ、カバー２９が破損するのを防止できる。
【００１３】
図１に示すように、各回転台１４には２個の押圧棒１５が設けられており、各押圧棒１５は回転台１４の回転中心に対して点対称位置に設けられている。回転台１４が回転駆動されるときの各押圧棒１５の回転軌跡（Ｔ）の直径は同一に設定されている。押圧棒１５は、ローラー軸１６上端の半球状の半球面（先端部）１５ａと、半球面１５ａに連続するローラー１７の周面（周面部）１５ｂとで、肌面に回転刺激を付与できる。各回転台１４は、それぞれの回転軸心が同一平面上に並列し、かつ平行な状態で配置されている。さらに各回転台１４は、隣接する押圧棒１５の回転軌跡Ｔが干渉しないように配置されている。３個の回転台１４は同一部材であり、後述する駆動軸２０にそれぞれ固定されている。
【００１４】
図３、図４に示すように、駆動機構１３は中央の駆動軸２０に固定される駆動ギヤ１９と、左右両側の駆動軸２０に固定される受動ギヤ２１と、これら両ギヤ１９・２１の間に配置されるカウンターギヤ２２とで構成されている。駆動軸２０とカウンターギヤ２２を支持するギヤ軸２３のそれぞれは、支持ベース１２に設けられた図示しない軸受体で回転自在に軸支されており、中央の駆動軸２０は、支持ベース１２を貫通して下方に延伸されている。モーター５のモーター軸は、減速機２５に接続されており、減速機２５の出力軸と中央の駆動軸２０の下端とがカップリング２６で連結されている。
【００１５】
作動スイッチ８をオン操作してモーター５を駆動すると、減速機２５を介して中央の駆動軸２０が回転駆動され、中央の回転台１４および駆動ギヤ１９が回転駆動される。駆動ギヤ１９の回転は、両カウンターギヤ２２を介して左右の受動ギヤ２１に伝動され、左右の駆動軸２０に固定された回転台１４を回転駆動する。このとき、３個の回転台１４は同一方向に回転駆動される。駆動ギヤ１９と２個の受動ギヤ２１の歯数は同じであり、また、２個のカウンターギヤ２２の歯数も同じであるので、各回転台１４の回転速度は同一に設定されている。モーター５を正転させたとき、各回転台１４は図１において反時計回りに回転するように設定されており、その回転数は６０ｒｐｍに設定した。
【００１６】
図１、図４に示すように、マッサージヘッド２には、上面と、上面に連続する前後面にわたって開口２８が形成されている。各回転台１４の押圧棒１５は、この開口２８に臨む状態で配置されており、各押圧棒１５の回転軌跡（Ｔ）は、開口２８の前後面から本体ケース１の外側に食み出している。また、各押圧棒１５の先端部分も開口２８の上面から本体ケース１の外側に食み出している。開口２８は、柔軟性を有するカバー２９で覆われており、本体ケース１の外側に食み出す押圧棒１５の一部が直接肌面などに接触しないようになっている。モーター５を駆動して、マッサージヘッド２を肌面に当接させることにより、カバー２９を介して各押圧棒１５の半球面１５ａあるいは周面１５ｂで肌面に回転刺激を付与することができる。マッサージヘッド２の前面または後面を肌面に当接させた場合には、押圧棒１５の周面１５ｂで回転方向に沿って直線状の回転刺激を肌面に付与することができ、また、マッサージヘッド２の上面を肌面に当接させた場合には、半球面１５ａで回転する回転刺激を肌面に付与することができる。
【００１７】
本実施例においては、各回転台１４に設けた押圧棒１５の位相位置を、隣接する回転台１４で異ならせる点に特徴がある。図１に示すように、右端に配置された回転台１４の押圧棒１５が前後端の位置にあるとき、中央に配置された回転台１４の押圧棒１５のそれぞれは、平面視において時計回り方向に６０度位相を異ならせた位置に設けられている。また、左端に配置された回転台１４の押圧棒１５は、時計回り方向にさらに６０度位相を異ならせた位置に設けられている。これにより、例えばマッサージヘッド２の後面を肌面に当接させたときには、右側の回転台１４の押圧棒１５肌面に回転刺激を付与したのち（図５（ａ））、中央の回転台１４の押圧棒１５が肌面に回転刺激を付与する（図５（ｂ））。次いで、左側の回転台１４の押圧棒１５が肌面に回転刺激を付与する（図５（ｃ））。このように、回転台１４の回転方向上手側から下手側へと押圧棒１５の周面１５ｂで順に肌面に回転方向に沿った直線状の回転刺激を付与できる。回転台１４の回転方向と血液の流れ方向とを一致させてマッサージヘッド２を肌面に当接させた場合には、直線状の回転刺激を肌面に付与して、血液やリンパ液を回転方向下手側に圧送することができる。この回転刺激は、直線状の擦り動作に加えて押圧棒１５による押圧刺激を伴うものである。
【００１８】
また、本実施例に係るマッサージ器は、１個のモーター（駆動源）５で３個の回転台１４を回転駆動している。このため、例えば、隣接する押圧棒１５の位相位置が同じであると、３個の押圧棒１５が同じタイミングで肌面を押圧するため、回転刺激を付与している間のモーター５には大きな負荷が作用する。しかし、各回転台１４に設けた押圧棒１５の位相位置を、隣接する回転台１４で異ならせると、複数の押圧棒１５が同じタイミングで肌面に押圧刺激を付与することがなく、モーター５に作用する負荷が大きくなることを回避して、モーター５の寿命を向上できる。
【００１９】
以上のように、本実施例のマッサージ器においては、各回転台１４に設けた押圧棒１５の位相位置を、隣接する回転台１４で異ならせたので、隣接する回転台１４の押圧棒１５が同時に肌面に接触して押圧を伴う回転刺激を付与することを回避できる。これにより、押圧棒１５で圧送された血液やリンパ液の流れが、下手側の押圧棒１５で堰き止められて圧送効果が低下することを防止できる。従って、押圧を伴う回転刺激による血液やリンパ液の圧送効果を向上して、効果的に美容効果を得ることができる。各回転台１４に設けた押圧棒１５の位置は、回転台１４の組付け時に、各回転台を所定角度（本実施例では６０度）ずつずらして組付けるだけで、位相位置を異ならせることができるので、マッサージユニット３の構造が複雑化することはない。
【００２０】
また、各押圧棒１５の回転軌跡Ｔの直径を同一に設定するので、押圧棒１５の肌面への接触状態を各押圧棒１５で同一にすることができ、回転刺激を付与する際の肌当たりを均一にできる。さらに、各回転台１４の回転速度を同一に設定するので、肌面へリズムよく回転刺激を付与でき、心地よく快適にマッサージ器を使用することができる。具体的には、本実施例では、右側の回転台１４から左側の回転台１４へ行くに従って、押圧棒１５の位相位置を回転台１４の回転方向とは反対である時計回り方向に６０度ずつ位相をずらした状態で配置してある。これにより、例えばマッサージヘッド２の後面を肌面に当接させた場合には、右側の回転台１４の押圧棒１５から左側の回転台１４の押圧棒１５へと順を追って規則的に肌面に押圧を伴う回転刺激を付与する。すなわち、右、中央、左、次いで右と、それぞれ同一の時間差でもって、順に押圧棒１５による押圧を伴う回転刺激を肌面に付与できる。
【００２１】
回転台１４から突出する棒状体からなる押圧棒１５の半球面１５ａおよび半球面１５ａに連続する周面１５ｂとで肌面に回転刺激を付与できるようにしたので、押圧棒１５の半球面１５ａと周面１５ｂとで、水平回転による回転刺激と、一方向に回転する直線状の押圧を伴う回転刺激との異なる回転刺激を肌面に付与でき、多様な回転刺激を肌面に付与できるマッサージ器を提供できる。
【００２２】
上記構成を備えたマッサージ器（美容機器）は、次の形態で実施できる。すなわち、平行な軸回りに回転駆動される複数個の回転台（回転体）１４を備え、各回転台１４には、肌面に押圧を伴う回転刺激を付与する少なくとも１個の押圧棒（押圧体）１５が設けられており、各回転台１４が、１個のモーター（駆動源）５で駆動される駆動機構１３で同一方向へ回転駆動されており、各回転台１４に設けた押圧棒１５の位相位置が、隣接する回転台１４で異ならせてあるマッサージ器。
【００２３】
上記のように、各回転台１４に設けた押圧棒１５の位相位置を、隣接する回転台１４で異ならせると、モーター５の寿命を向上できる。具体的には、例えば、隣接する押圧棒１５の位相位置が同じであると、複数個の押圧棒１５が同じタイミングで肌面を押圧し、押圧を伴う回転刺激を付与している間のモーター５には大きな負荷が作用する。しかし、各回転台１４に設けた押圧棒１５の位相位置を、隣接する回転台１４で異ならせると、複数の押圧棒１５が同じタイミングで肌面に押圧刺激を付与することがない。従って、モーター５に作用する負荷が大きくなることを回避して、モーター５の寿命を向上できる。また、モーター５に大きな負荷が作用することによる電池６の消耗を抑制できる。さらに、負荷によるモーター５の加熱を防止して、マッサージ器の信頼性を向上できる。
【００２４】
上記の実施例では、押圧棒１５（ローラー１７）の横断面形状は円形に形成したが、非円形コロ形状、楕円形状、または多角形状に形成してもよい。押圧棒１５は、ローラー軸１６と、ローラー１７とで構成する必要はなく、先端が丸められた丸軸であってもよい。この場合には、丸められた先端が先端部１５ａとして機能し、丸軸の周囲面が周面部１５ｂとして機能する。
【００２５】
（第２実施例）  図１から図５に係る第１実施例の手持ち型のマッサージ器（美容機器）は、駆動機構１３を変更して第２実施例の手持ち型のマッサージ器（美容機器）とすることができる。この第２実施例の手持ち型のマッサージ器（美容機器）は本発明に係る実施例となっている。なお、駆動機構１３を変更した点以外は、先の第１実施例と同様であるので、その説明を省略する。
【００２６】
第２実施例においても、第１実施例と同様、図３、図４に示すように、駆動機構１３は中央の駆動軸２０に固定される駆動ギヤ１９と、左右両側の駆動軸２０に固定される受動ギヤ２１と、これら両ギヤ１９・２１の間に配置されるカウンターギヤ２２とで構成されている。駆動軸２０とカウンターギヤ２２を支持するギヤ軸２３のそれぞれは、支持ベース１２に設けられた図示しない軸受体で回転自在に軸支されており、中央の駆動軸２０は、支持ベース１２を貫通して下方に延伸されている。モーター５のモーター軸は、減速機２５に接続されており、減速機２５の出力軸と中央の駆動軸２０の下端とがカップリング２６で連結されている。
【００２７】
作動スイッチ８をオン操作してモーター５を駆動すると、減速機２５を介して中央の駆動軸２０が回転駆動され、中央の回転台１４および駆動ギヤ１９が回転駆動される。駆動ギヤ１９の回転は、両カウンターギヤ２２を介して左右の受動ギヤ２１に伝動され、左右の駆動軸２０に固定された回転台１４を回転駆動する。このとき、３個の回転台１４は同一方向に回転駆動される。図３に向かって右側の受動ギヤ２１の歯数は駆動ギヤ１９の端数に比べて多く設定している。また、図３に向かって左側の受動ギヤ２１の歯数は駆動ギヤ１９の端数に比べて少なく設定している。２個のカウンターギヤ２２は第１実施例と同様のギヤとする。これにより、モーター５を正転させたとき、各回転台１４は図１において反時計回りに回転するが、このとき各回転台１４の回転速度は、図１において右側の回転台１４の回転速度を基準に、中央の回転台１４、左側の回転台１４と徐々に回転速度が速くなっている。具体的には、右側の回転台１４の回転速度を５０〜５５ｒｐｍ、中央の回転台１４の回転速度を６０〜６５ｒｐｍ、左側の回転台１４の回転速度を７０〜７５ｒｐｍに設定した。すなわち、隣接する回転台１４のうち、回転方向下手側に位置する回転台１４の回転速度を、回転方向上手側に位置する回転台１４の回転速度より速く設定している。なお、上記回転速度の設定は一例であってこれに限定されるものではない。また、回転方向下手側に位置する回転台１４の回転速度を、回転方向上手側に位置する回転台１４の回転速度より速く設定していれば、右側の回転台１４と中央の回転台１４の回転速度が同じで、左側の回転台１４の回転速度を右側や中央の回転台１４よりも速く設定した実施例も本発明は含むものである。
【００２８】
例えばマッサージヘッド２の後面を肌面に当接させたときには、右側の回転台１４の押圧棒１５と中央の回転台１４の押圧棒１５と左側の回転台１４の押圧棒１５が同時に肌面に当接するが、上述のように、隣接する回転台１４のうち、回転方向下手側に位置する回転台１４の回転速度を、回転方向上手側に位置する回転台１４の回転速度より速く設定すると、下手側の押圧棒１５の周面１５ｂは、上手側から圧送されてきた血液やリンパ液を滞ることなくすばやく圧送できる。従って、回転刺激による血液やリンパ液の圧送効果を向上して、効果的に美容効果を得ることができる。
【００２９】
（第３実施例）  図６に美容機器の第３実施例を示す。第３実施例に係る美容機器（マッサージ器）は、押圧棒１５のローラー１７の形状を変更した点が第１実施例のマッサージ器と異なる。なお、それ以外の点は、先の第１実施例と同様であるので、同一の部材には、同一の符号を付して、その説明を省略する。以下の実施例においても同様とする。
【００３０】
ローラー１７は、ローラー筒３２と、ローラー筒３２の外周面に周回状に突出する４個の刺激ローラー３３とで構成されている。このように、ローラー筒３２の外周面に、刺激ローラー３３を形成すると、押圧棒１５と肌面との接触面積を小さくして、肌面にマッサージヘッド２を軽く押し当てるだけで、強い押圧を伴う回転刺激を肌面に付与できる。本実施例においても回転台１４の回転速度を６０ｒｐｍに設定した。
【００３１】
（第４実施例）  図７から図１０に、美容機器の第４実施例を示す。第４実施例に係る美容機器（マッサージ器）は、左右に長い本体ケース１の前面に開口２８を設けた点と、マッサージユニット３の構成を変更した点が、第１実施例のマッサージ器と異なる。図７においてマッサージ器は、左右横長の本体ケース１を備え、本体ケース１の左半部がマッサージヘッド２として構成されており、マッサージヘッド２の内部にマッサージユニット３が配置されている。本体ケース１の右半部はグリップ４を兼ねており、その内部には、モーター５、電池６、制御基板７などが配置されている。作動スイッチ８および正逆転スイッチ９は、グリップ４の上面部に設けられている。
【００３２】
図８から図１０に示すように、マッサージユニット３は、上下に配置した一対の支持ベース１２と、一対の支持ベース１２の間に配置される駆動機構１３と、駆動機構１３で回転駆動される円盤状の３個の回転台（回転体）１４と、各回転台１４に設けられる円柱状の押圧棒（押圧体）１５などで構成されている。回転台１４は駆動軸２０に固定されており、隣接する回転台１４が、各駆動軸２０の一端寄りと他端寄りに交互に配置されて回転軸心方向に対向させてある。各回転台１４には、１個の押圧棒１５が対向相手側の回転台１４へ向かって突設されている。３個の回転台１４は同一部材であり、それぞれの回転中心が同一平面上に並列する状態で、かつ隣接する回転台１４の外郭形状が重複する状態で配置されている。回転台１４が回転駆動されたときの各押圧棒１５の回転軌跡Ｔの直径は同一に設定されており、図８に示すように、隣接する押圧棒１５の回転軌跡Ｔはオーバーラップしている。
【００３３】
図７、図９に示すように、駆動機構１３は、３個の駆動軸２０と、各駆動軸２０に固定される受動ギヤ２１と、各受動ギヤ２１を駆動するウォーム軸３５と、ウォーム軸３５の右端に設けられる駆動ギヤ３６とで構成されている。各駆動軸２０は、一対の支持ベース１２に設けられた図示しない軸受体で回転自在に軸支されている。モーター５のモーター軸には、ギヤ群で構成される減速機構３７の初段ギヤが固定されており、減速機構３７の終段ギヤが駆動ギヤ３６に噛合されている。
【００３４】
作動スイッチ８をオン操作してモーター５を駆動すると、減速機構３７を介して駆動ギヤ３６およびウォーム軸３５が回転駆動される。これにより、ウォーム軸３５で３個の受動ギヤ２１が回転駆動されて、各駆動軸２０に固定された回転台１４を同一方向に回転駆動できる。３個の受動ギヤ２１は同一の歯数のギヤで構成されており、各回転台１４の回転速度は同一に設定されている。モーター５を正転させたとき、各回転台１４は図８において時計回りに回転するように設定されており、その回転速度は６０ｒｐｍに設定した。
【００３５】
図９、図１０に示すように、マッサージヘッド２には、前面に開口２８が形成されており、開口２８は柔軟性を有するカバー２９で覆われている。各回転台１４の押圧棒１５の回転軌跡（Ｔ）は、開口２８の前後面から本体ケース１の外側に食み出している。マッサージヘッド２の前面を肌面に当接させると、押圧棒１５の周面１５ｂで回転方向に沿って直線状の押圧を伴う回転刺激を肌面に付与することができる。
【００３６】
図８に示すように、右端に配置された回転台１４の押圧棒１５が前端の位置にあるとき、中央に配置された回転台１４の押圧棒１５は、平面視おいて反時計回り方向に６０度位相を異ならせた位置に設けられている。左端に配置された回転台１４の押圧棒１５は、反時計回り方向にさらに６０度位相を異ならせた位置に設けられている。これにより、マッサージヘッド２の前面を肌面に当接させると、右側の回転台１４の押圧棒１５が肌面に押圧を伴う回転刺激を付与したのち、中央の回転台１４の押圧棒１５が肌面に押圧を伴う回転刺激を付与する。次いで、左側の回転台１４の押圧棒１５が肌面に押圧を伴う回転刺激を付与する。このように、回転台１４の回転方向上手側から下手側へと押圧棒１５の周面１５ｂで順に肌面に直線状の押圧を伴う回転刺激を付与できる。
【００３７】
以上のように、本実施例のマッサージ器においては、各回転台１４を、隣接する押圧棒１５の回転軌跡Ｔどうしがオーバーラップする状態で配置したので、隣接する押圧棒１５どうしの距離を近づけることができる。これにより、隣接する押圧棒１５の間に位置して押圧を伴う回転刺激が付与されない肌面部分を可及的に狭くすることができ、血液やリンパ液などの圧送効果を向上できる。また、押圧棒１５の隣接距離が小さくなる分だけマッサージ器を小形化しコンパクト化できる。
【００３８】
隣接する回転台１４が、各駆動軸２０の一端寄りと他端寄りに交互に配置されて回転軸心方向に対向しており、各回転台１４における押圧棒１５が、対向相手側の回転台１４へ向かって突設されていると、押圧棒１５による押圧を伴う回転刺激の付与範囲を直線状に連続させて、回転台１４の回転方向の上手側から下手側へ向かって、血液やリンパ液を確実に圧送することができる。
【００３９】
（第５実施例）  図１１から図１３に、美容機器の第５実施例を示す。第５実施例は本発明に係る実施例である。第５実施例に係る美容機器（マッサージ器）は、本体ケース１の上面に開口２８を設けた点と、マッサージユニット３の構成を変更した点が、第１実施例のマッサージ器と異なる。図１１においてマッサージ器は、本体ケース１を備え、本体ケース１の上半部がマッサージヘッド２として構成されており、マッサージヘッド２の内部にマッサージユニット３が配置されている。マッサージヘッド２の後端から下方に伸びる本体ケース１はグリップ４を兼ねており、その内部には、モーター５、電池６、制御基板７などが配置されている。
【００４０】
図１２、図１３に示すように、マッサージユニット３は、前後一対の支持ベース１２と、一対の支持ベース１２の間に配置される駆動機構１３と、駆動機構１３で回転駆動される円形の板状体からなる４個の回転台（回転体）１４と、各回転台１４に設けられる押圧体１５などで構成されている。押圧体１５は、回転台１４の周面に、外突状の突部４０として形成されており、各回転台１４には等角度間隔で３個の突部４０が設けられている。
【００４１】
回転台１４は駆動軸２０に固定されており、隣接する回転台１４は、回転軸心方向にずらした状態で、その外郭形状が重複する状態で配置されている。４個の回転台１４は同一部材であり、回転台１４が回転駆動されたときの各押圧体１５の回転軌跡Ｔの直径は同一に設定されており、突部４０の回転軌跡Ｔはオーバーラップしている。つまり、各回転台１４が、隣接する回転台１４の押圧体１５の回転軌跡Ｔどうしがオーバーラップする状態で配置されている。
【００４２】
図１２、図１３に示すように、駆動機構１３は、２個の駆動軸２０と、各駆動軸２０に固定される受動ギヤ２１と、受動ギヤ２１間に配置される駆動ギヤ４１とで構成されている。駆動軸２０は、支持ベース１２に設けられた図示しない軸受体で回転自在に軸支されている。左右の受動ギヤ２１は歯数を異ならせてあり、右側の駆動軸２０に固定される受動ギヤ２１ａよりも、左側の駆動軸２０に固定される受動ギヤ２１ｂの方が、歯数が少なく設定されている。モーター５のモーター軸には、ピニオンギヤとフェースギヤとで構成される減速機構４２のピニオンギヤが固定されており、フェースギヤと駆動ギヤ４１とは、回転軸で連結されている。モーター５の出力軸にはピニオンギヤが固定されており、このピニオンギヤとフェースギヤとで減速機構４２が構成されている。フェースギヤに固定したギヤ軸に先の駆動ギヤ４１が固定されている。
【００４３】
作動スイッチ８をオン操作してモーター５を駆動すると、減速機構４２を介して駆動ギヤ４１が回転駆動され、これにより、左右の受動ギヤ２１ａ・２１ｂが駆動されて、各駆動軸２０に装着した回転台１４を回転駆動できる。各回転台１４は図１２において反時計回りに回転するように設定されている。左側の受動ギヤ２１ｂの歯数が少なく設定されているので、回転方向下手側である左側の回転台１４の回転速度は、右側の回転台１４の回転速度よりも速く回転駆動される。本実施例では、左側の回転台１４の回転速度は８０ｒｐｍに設定し、右側の回転台１４の回転速度は６０ｒｐｍに設定した。
【００４４】
図１２に示すように、マッサージヘッド２には、上面に開口２８が形成されており、開口２８は柔軟性を有するカバー２９で覆われている。各回転台１４は、この開口２８に臨む状態で配置されており、各突部４０の回転軌跡Ｔは、本体ケース１の上面から外側に食み出している。右側に配置された回転台１４と左側に配置された回転台１４とは、突部４０の位置を６０度ずらした状態で駆動軸２０に固定されている。マッサージヘッド２の上面を肌面に当接させると、突部４０で直線状の押圧を伴う回転刺激を肌面に付与することができる。本実施例においても、突部４０の回転軌跡Ｔがオーバーラップしているので、隣接する突部４０どうしの距離を近づけることができ、押圧を伴う回転刺激による血液やリンパ液の圧送効果を向上できる。
【００４５】
また、本実施例では、マッサージ器の組立て時に突部４０の位相位置を６０度ずらした状態で駆動軸２０に固定するが、マッサージ器を動作させると、左右の回転台１４の回転速度が異なるため、突部４０の位相位置は常に変化することになる。従って、両回転台１４の突部４０が同時に肌面に接触する場合も発生するが、これは一時的なものであり、回転刺激を肌面に付与する際のほとんどは左右の突部４０が異なるタイミングで接触して押圧を伴う刺激を付与できる。
【００４６】
以上のように、隣接する回転台１４のうち、回転方向下手側に位置する回転台１４の回転速度を、回転方向上手側に位置する回転台１４の回転速度より速く設定すると、下手側の突部４０は、上手側から圧送されてきた血液やリンパ液を滞ることなくすばやく圧送できる。従って、押圧を伴う回転刺激による血液やリンパ液の圧送効果をさらに向上して、効果的に美容効果を得ることができる。回転刺激は上述したように、突部４０による押圧に加えて突部４０が一方向に回転する直線状の擦り動作を伴うものであり、血液やリンパ液の圧送効果をも有するものである。なお、回転刺激としては、回転台１４に突部４０を有しなくて単純な円形の回転台１４にすれば、弱い押圧ながら一方向に回転する直線状の擦り動作は行え、血液やリンパ液の圧送効果を有するので、このような弱い押圧を伴う回転刺激も含むものとする。さらに、回転台１４に突部４０を有しなくても回転台１４を楕円形にすれば、上述の実施例と略同様の押圧を伴う回転刺激とすることができる。
【００４７】
（第６実施例）  図１４に、美容機器の第６実施例を示す。第６実施例は本発明に係る実施例である。第６実施例に係る美容機器（マッサージ器）は、突部４０を回転体１４と別体で構成した点が第５実施例のマッサージ器と異なる。図１４に示すように、突部４０は、回転体１４の周面に形成された保持凹部４４に嵌め込まれた球体４５で構成されている。このように、突部４０を球体４５で構成すると、回転刺激を付与する際に、突部４０とカバー２９との間の摩擦を軽減することができ、カバー２９が破損するのを防止できる。本実施例においても、左側の回転台１４の回転速度は８０ｒｐｍに設定し、右側の回転台１４の回転速度は６０ｒｐｍに設定した。
【００４８】
上記の第１実施例から第６実施例では、回転台（回転体）１４と駆動ギヤ１９あるいは受動ギヤ２１が固定される駆動軸２０およびカウンターギヤ２２が固定されるギヤ軸２３は、支持ベース１２に対して回転自在に支持したが、駆動軸２０およびギヤ軸２３は支持ベース１２に固定することができる。その場合には、回転台１４と受動ギヤ２１とを連結固定し、これら１４・２１を支持ベース１２に固定した駆動軸２０に対して回転自在に支持する構造とする。
【００４９】
（第７実施例）  図１５から図１７に、本発明を手持ち型のマッサージ器（美容機器）に適用した第７実施例を示す。第７実施例は本発明に係る実施例である。図１５においてマッサージ器は、本体ケース１と、本体ケース１の右側面から外側に伸びるマッサージヘッド２とで構成されている。マッサージヘッド２は、マッサージユニット３とマッサージユニット３を覆うユニットカバー５５とで構成されている。本体ケース１はグリップ４を兼ねており、その内部には、モーター５、電池６、制御基板７などが配置されている。作動スイッチ８および正逆転スイッチ９は、グリップ４の前面部に設けられている。
【００５０】
図１５、図１７に示すように、マッサージユニット３は、駆動機構１３と、駆動機構１３で回転駆動される上下一対の回転台（回転体）１４と、各回転台１４に設けられる押圧棒（押圧体）１５と、隣接する駆動軸２０どうしを軸支する上下一対の可動フレーム（フレーム）５１などで構成されている。押圧棒１５は、一対の回転台１４の間に配置されており、ローラー軸１６とローラー軸１６で回転自在に軸支される筒状のローラー１７とで構成される棒状体からなる。ローラー軸１６の上下端は、上下の回転台１４に固定されており、ローラー１７の横断面形状は、円形状に形成されている。
【００５１】
図１７に示すように、一対の回転台１４の間には２個の押圧棒１５が設けられており、これらの押圧棒１５は回転台１４の回転中心に対して点対称の位置に設けられている。回転台１４が回転駆動されるときの各押圧棒１５の回転軌跡Ｔの直径は同一に設定されており、押圧棒１５は、ローラー１７の周面（周面部）１５ｂで、肌面に押圧を伴う回転刺激を付与できる。各回転台１４は、駆動軸２０に固定されている。
【００５２】
図１５に示すように、駆動機構１３は、５個の駆動軸２０と、各駆動軸２０に固定されてモーター５からの動力を回転台１４に伝動する受動ギヤ２１と、隣接する受動ギヤ２１間に配置されて噛み合い連動するカウンターギヤ２２とを含んで構成されている。隣接する駆動軸２０どうしは、上下一対の可動フレーム５１で前後方向に回転自在に軸支されており、各駆動軸２０および各可動フレーム５１の全体は、左端の駆動軸２０が、本体ケース１に固定されたベースフレーム５２で前後方向に回転自在に軸支されて本体ケース１に支持されている。これにより、隣接する回転台１４および可動フレーム５１が、隣接相手側の駆動軸２０を回動中心にして回動できる。可動フレーム５１およびベースフレーム５２と駆動軸２０との間には図示しない軸受体が設けられている。また、カウンターギヤ２２は、両フレーム５１・５２に回転自在に軸支されたギヤ軸２３に固定されている。
【００５３】
図１６、図１７に示すように、受動ギヤ２１の回転軸心と、駆動軸２０の軸心Ｐとは一致させてある。これにより、隣接相手側の駆動軸２０の軸心Ｐを回動中心にして回転台１４を回動させると、受動ギヤ２１に対してカウンターギヤ２２は、噛合深さが変化することなく回転台１４を回動させた角度だけ噛合位置が移動する。各々隣接する回転台１４を回動させた場合も同様である。このように、回転台１４に動力を伝動する受動ギヤ２１の回転軸心と、駆動軸２０の軸心Ｐとを一致させると、隣接する受動ギヤ２１と、受動ギヤ２１と噛み合い連動するカウンターギヤ２２との噛合深さが変化することなく、隣接する回転台１４どうしを各駆動軸２０の軸心Ｐを回動中心にして互いに屈折させることができる。従って、回転台１４の全体の配置形態を様々に変更した場合でも、噛合部分で騒音発生やがたつきが発生するのを防止でき、また、各回転台１４に動力を確実に伝動することができる。
【００５４】
右端に配置した上下の可動フレーム５１は把持棒５３で連結されており、この把持棒５３が肌面に押圧刺激を付与する際の握り部として機能する。片方の手で本体ケース１を固定し、もう片方の手で把持棒５３を前後方向に移動させることにより、隣接する回転台１４どうしは駆動軸２０を回動中心にして回動し、マッサージヘッド２を自在に屈折させることができる。図示していないが、隣接するフレーム５１の間にはストッパー構造が設けられており、フレーム５１を屈折させることができる角度が規制されている。
【００５５】
モーター５のモーター軸は、減速機２５に接続されており、減速機２５の出力軸には駆動ギヤ５４が固定されている。駆動ギヤ５４と左端の受動ギヤ２１とは、カウンターギヤ２２を介して噛合されており、駆動ギヤ５４と、５個の受動ギヤ２１と、５個のカウンターギヤ２２とでギヤトレインが構成されている。これにより、駆動ギヤ５４の回転が、カウンターギヤ２２を介して終段の受動ギヤ２１まで伝動され、各回転台１４が回転駆動される。５個の受動ギヤ２１の歯数は、駆動ギヤ５４に近い側から徐々に減らしているので、各回転台１４は同一方向の回転駆動であるが、駆動ギヤ５４に近い側から徐々に回転速度が速くなっている。具体的には、モーター５を正転させたとき、５個の回転台１４は図１７において反時計回りに回転するように設定されており、各回転台１４の回転速度は、駆動ギヤ５４に近い側から順に、４０ｒｐｍ、４５ｒｐｍ、５０ｒｐｍ、５６ｒｐｍ、６３ｒｐｍに設定している。なお、５個のカウンターギヤ２２の歯数は同じに設定してある。
【００５６】
以上のように、隣接する回転台１４のうち、回転方向下手側に位置する回転台１４の回転速度を、回転方向上手側に位置する回転台１４の回転速度より速く設定すると、下手側の押圧棒（押圧体）１５は、上手側から圧送されてきた血液やリンパ液を滞ることなくすばやく圧送できる。従って、押圧を伴う回転刺激による血液やリンパ液の圧送効果をさらに向上して、効果的に美容効果を得ることができる。なお、回転方向下手側に位置する回転台１４の回転速度を、回転方向上手側に位置する回転台１４の回転速度より速く設定するとは、例えば、本実施例の場合、左から１番目、２番目、３番目の回転台１４の回転速度が同じで、左から４番目、５番目の回転台１４の回転速度が同じ回転速度でかつ、１番目、２番目、３番目の回転台１４の回転速度よりも速い回転速度である構成であってもよい。また、左から１番目、２番目、３番目、４番目の回転台１４の回転速度が同じで、残りの５番目の回転台１４の回転速度が左から１番目、２番目、３番目、４番目の回転台１４の回転速度よりも速い回転速度である構成であってもよい。その構成は種々変更できる。
【００５７】
以上のように、隣接する回転体１４が隣接相手側の駆動軸２０を回動中心にして回動できるように支持してあると、隣接する回転体１４を各駆動軸２０を回動中心にして互いに屈折させて、回転体１４の全体の配置形態を種々に変更することができる。例えば、図１７に示すように、マッサージヘッド２を円弧状に屈折することができ、身体の曲面部分にマッサージヘッド２を沿わせた状態で押圧棒１５による押圧刺激を肌面に付与することができる。
【００５８】
本実施例では、回転台（回転体）１４と受動ギヤ２１が固定される駆動軸２０およびカウンターギヤ２２が固定されるギヤ軸２３は、可動フレーム５１あるいはベースフレーム５２に対して回転自在に支持したが、駆動軸２０およびギヤ軸２３は前記フレーム５１・５２に固定することができる。その場合には、回転台１４と受動ギヤ２１とを連結固定し、これら１４・２１を前記フレーム５１・５２に固定した駆動軸２０に対して回転自在に支持する構造とする。
【００５９】
（第８実施例）  図１８に、本発明に係る美容機器の第８実施例を示す。第８実施例は本発明に係る実施例である。第８実施例に係る美容機器（マッサージ器）は、マッサージユニット３により多くの回転体１４を設けてマッサージヘッド２を長尺化した点が第７実施例と異なる。マッサージヘッド２の先端側には、ユニットカバー５５の後面に雄側の面ファスナー５７ａが縫着されており、また、マッサージヘッド２の基端側には、ユニットカバー５５の前面に雌側の面ファスナー５７ｂが縫着されている。
【００６０】
本実施例においては、マッサージヘッド２を長尺化したので、マッサージヘッド２を屈曲させて腕や脚などに巻きつけた状態で、押圧棒１５による押圧を伴う回転刺激を肌面に付与できる。また、マッサージヘッド２を腕や脚などに巻きつけたのち、雄雌の面ファスナー５７ａ・５７ｂを接当させて固定することにより、マッサージヘッド２を円環状に保形した状態で装着でき、ハンドフリーの状態で押圧棒１５による押圧刺激を肌面に付与できる。
【００６１】
雌側の面ファスナー５７ｂは、本体ケース１に接着固定することができる。また、ユニットカバー５５をループパイル生地で構成することにより、雌側の面ファスナー５７ｂを廃して、ユニットカバー５５に雄側の面ファスナー５７ａを直接固定することができる。本実施例においても、回転台１４の回転数は駆動ギヤ５４に近い側から徐々に回転速度が速くなっている。
【００６２】
本発明における美容機器（マッサージ器）を構成する回転体（回転台）１４および押圧体（押圧棒）１５の個数は、上記の各実施例に示した数に限られない。回転体１４の回転数は、上記の各実施例に示した回転数に限られず、適宜変更することができ、第２実施例、第５実施例、第６実施例、第７実施例および第８実施例においては、隣接する回転台１４のうち、回転方向下手側に位置する回転台１４の回転速度が、回転方向上手側に位置する回転台１４の回転速度より速ければよい。また、隣接する回転台１４のうち、回転方向下手側に位置する回転台１４の回転速度は、回転方向上手側に位置する回転台１４の回転速度の１．１倍以上、２．０倍未満とすれば、圧送効果を向上させながら、使用者に対して違和感のないマッサージを行うことができる。
【符号の説明】
【００６３】
１３  駆動機構
１４  回転体（回転台）
１５  押圧体（押圧棒）
１５ａ  先端部（半球面）
１５ｂ  周面部（周囲面）
２０  駆動軸
２１  受動ギヤ
２２  カウンターギヤ
５１  フレーム（可動フレーム）
Ｔ  回転軌跡
【図１】
2015084777.tif 000003
【図２】
2015084777.tif 000004
【図３】
2015084777.tif 000005
【図４】
2015084777.tif 000006
【図５】
2015084777.tif 000007
【図６】
2015084777.tif 000008
【図７】
2015084777.tif 000009
【図８】
2015084777.tif 000010
【図９】
2015084777.tif 000011
【図１０】
2015084777.tif 000012
【図１１】
2015084777.tif 000013
【図１２】
2015084777.tif 000014
【図１３】
2015084777.tif 000015
【図１４】
2015084777.tif 000016
【図１５】
2015084777.tif 000017
【図１６】
2015084777.tif 000018
【図１７】
2015084777.tif 000019
【図１８】
2015084777.tif 000020